(57)【要約】【課題】受電装置に効率良く電力を供給しながら、受電装置に給電可能な給電アンテナを特定することが可能な給電装置を提供する。【解決手段】この給電装置１００は、給電アンテナ２ａ〜２ｄを含む給電アンテナ部２と、電源部１と複数の給電アンテナ２ａ〜２ｄとの間にそれぞれ配置され、給電アンテナ２ａ〜２ｄを期間Ｔ１の間、電力の供給停止状態に切り替えるスイッチ３ａ〜３ｄと、供給停止状態への変化に起因した情報に基づいて給電アンテナ２ａ〜２ｄが給電可能な受電装置２００を特定する制御部４とを備える。【選択図】図１
2017046418.tif 000002
【特許請求の範囲】
【請求項１】
電源部からの電力を、外部受電装置に供給する給電アンテナを複数含む給電アンテナ部と、
前記電源部と前記給電アンテナとの間に配置され、前記給電アンテナを所定の第１期間、前記電力の供給停止状態に切り替える複数のスイッチと、
前記供給停止状態への変化に起因した情報に基づいて、前記外部受電装置に給電可能な前記給電アンテナを特定する制御部とを備える、給電装置。
【請求項２】
前記制御部は、前記複数のスイッチにより、前記複数の給電アンテナを、所定の数ごとに、順次、前記所定の第１期間、供給状態から前記供給停止状態に切り替える制御を行うように構成されている、請求項１に記載の給電装置。
【請求項３】
前記電源部に直列に接続されている複数の１次巻線と、前記複数の給電アンテナのそれぞれに接続されている複数の２次巻線とを含み、前記電源部からの前記電力を分配する電力分配部をさらに備え、
前記複数のスイッチは、前記複数の１次巻線、または、前記複数の２次巻線のいずれか一方のそれぞれを、個別に短絡することにより、前記複数の給電アンテナを、個別に供給状態から前記供給停止状態に切り替えるように構成されている、請求項１または２に記載の給電装置。
【請求項４】
前記複数のスイッチは、前記複数の１次巻線のそれぞれの両端を個別に短絡することにより、前記複数の給電アンテナを、個別に前記供給状態から前記供給停止状態に切り替えるように構成されている、請求項３に記載の給電装置。
【請求項５】
前記電源部の出力インピーダンスと前記複数の１次巻線のインピーダンスとを整合するインピーダンス整合部をさらに備え、
前記制御部は、前記インピーダンス整合部を制御して、前記供給状態の前記給電アンテナの数、または、前記供給停止状態の前記給電アンテナの数のいずれか一方に応じて、前記電源部の出力インピーダンスと前記複数の１次巻線のインピーダンスとを整合するように構成されている、請求項３または４に記載の給電装置。
【請求項６】
前記電力分配部のインピーダンスを測定するインピーダンス測定部をさらに備え、
前記制御部は、前記複数のスイッチにより、前記複数の給電アンテナのうちの少なくとも１つを前記供給状態から前記所定の第１期間、前記供給停止状態に切り替えて、前記電力の供給が停止されることに起因して変化する前記インピーダンスの測定値に基づいて、前記外部受電装置に給電可能な前記給電アンテナを特定する制御を行うように構成されている、請求項３〜５のいずれか１項に記載の給電装置。
【請求項７】
前記制御部は、前記インピーダンスの測定値の変化量が、第１のしきい値を超えた場合に、前記複数の給電アンテナのうちの前記供給状態から前記供給停止状態に切り替えた前記給電アンテナと、前記外部受電装置とを対応付ける制御を行うように構成されている、請求項６に記載の給電装置。
【請求項８】
前記制御部は、前記インピーダンスの測定値の大きさが、第２のしきい値を超えたことに応じて、前記複数のスイッチにより、前記複数の給電アンテナのうちの少なくとも１つを前記供給状態から前記所定の第１期間、前記供給停止状態に切り替える制御を行うように構成されている、請求項６または７に記載の給電装置。
【請求項９】
前記複数のスイッチを含む、複数のスイッチグループをさらに備え、
前記制御部は、各前記スイッチグループに含まれる前記複数のスイッチごと同時に、前記複数の給電アンテナを前記供給状態から前記所定の第１期間、前記供給停止状態に切り替える制御を行うように構成されている、請求項６〜８のいずれか１項に記載の給電装置。
【請求項１０】
前記制御部は、前記複数のスイッチのうち、特定された前記給電アンテナに対応する前記スイッチ以外の前記スイッチにより、前記複数の給電アンテナのうちの少なくとも１つを供給状態から前記所定の第１期間、前記供給停止状態に切り替えて、前記供給停止状態への変化に起因した情報に基づいて、前記外部受電装置に給電可能な前記給電アンテナを特定する制御を行うように構成されている、請求項１〜９のいずれか１項に記載の給電装置。
【請求項１１】
前記外部受電装置と通信する通信部をさらに備え、
前記制御部は、前記通信部を介して、前記供給停止状態への変化に起因した情報を取得して、取得した前記供給停止状態への変化に起因した情報に基づいて、前記外部受電装置に給電可能な前記給電アンテナを特定する制御を行うように構成されている、請求項５に記載の給電装置。
【請求項１２】
前記制御部は、前記通信部を介して、特定された前記給電アンテナに対応する前記外部受電装置から受電の停止を示す情報を取得した場合に、前記供給状態の前記給電アンテナの数、または、前記供給停止状態の前記給電アンテナの数を変更して、変更した前記供給状態の前記給電アンテナの数、または、前記供給停止状態の前記給電アンテナの数に基づいて、前記インピーダンス整合部を制御するとともに、所定の第２期間、前記受電の停止を示す情報に対応する前記外部受電装置に前記電力を供給する前記給電アンテナを、前記供給状態にする制御を行うように構成されている、請求項１１に記載の給電装置。
【請求項１３】
前記制御部は、前記供給停止状態への変化に起因した情報を、同時に複数の前記外部受電装置から取得した場合には、前記複数の外部受電装置と前記複数の給電アンテナのうちのいずれかとを対応付けるとともに、前記スイッチにより、前記複数の外部受電装置が対応付けられた前記給電アンテナを前記供給停止状態にする制御を行うように構成されている、請求項１１または１２に記載の給電装置。
【発明の詳細な説明】
【技術分野】
【０００１】
この発明は、給電装置に関し、特に、複数の給電アンテナを備える給電装置に関する。
【背景技術】
【０００２】
従来、複数の給電アンテナを備える給電装置が知られている（たとえば、特許文献１参照）。
【０００３】
上記特許文献１には、複数の給電コイルを備える電力供給装置が開示されている。この電力供給装置は、複数の給電コイルと、設置面とを含む。設置面は、受電コイルおよび認識タグ用コイルを有する受電機器を載置することが可能に構成されている。そして、この電力供給装置は、全ての給電コイルからの給電が停止された状態で、複数の給電コイルのうちから１つずつ給電コイルを選択して、順次通電するように構成されている。受電機器は、給電コイルが通電されることにより発生する電磁波を受けた後、認識タグ用コイルから電力供給装置に識別情報を送信するように構成されている。そして、この電力供給装置は、識別情報を取得するように構成されている。これにより、上記特許文献１の電力供給装置は、通電した給電コイルと取得した識別情報に対応する受電機器とを対応付けることが可能である。
【先行技術文献】
【特許文献】
【０００４】
【特許文献１】特開２００３―２２４９３７号公報
【発明の概要】
【発明が解決しようとする課題】
【０００５】
しかしながら、上記特許文献１の電力供給装置では、全ての給電コイルからの給電が停止された状態で、複数の給電コイルのうちから１つずつ給電コイルを選択して、順次通電するように構成されている。このため、上記特許文献１の電力供給装置では、通電した給電コイルと取得した識別情報に対応する受電機器とを対応付ける動作（処理）を行う間、設置面に載置されている全ての受電機器に対する給電が停止される状態になると考えられる。この結果、上記特許文献１の電力供給装置では、受電機器に効率良く電力を供給しながら、受電機器（受電装置）に給電可能な給電コイル（給電アンテナ）を特定することが困難であるという問題点があると考えられる。
【０００６】
この発明は、上記のような課題を解決するためになされたものであり、この発明の１つの目的は、受電装置に効率良く電力を供給しながら、受電装置に給電可能な給電アンテナを特定することが可能な給電装置を提供することである。
【課題を解決するための手段】
【０００７】
上記目的を達成するために、この発明の一の局面による給電装置は、電源部からの電力を、外部受電装置に供給する給電アンテナを複数含む給電アンテナ部と、電源部と給電アンテナとの間に配置され、給電アンテナを所定の第１期間、電力の供給停止状態に切り替える複数のスイッチと、供給停止状態への変化に起因した情報に基づいて、外部受電装置に給電可能な給電アンテナを特定する制御部とを備える。
【０００８】
上記目的を達成するために、この発明の一の局面による給電装置では、上記のように、制御部を、複数のスイッチにより、給電アンテナを所定の第１期間、電力の供給停止状態に切り替えて、供給停止状態への変化に起因した情報に基づいて外部受電装置に給電可能な給電アンテナを特定する制御を行うように構成する。これにより、全ての給電アンテナを停止状態にした後、複数の給電アンテナのうちから１つずつ給電アンテナを選択して順次供給状態にする場合と異なり、供給状態から停止状態に切り替えた外部受電装置以外の外部受電装置に対応する給電アンテナは供給状態を維持させることができる。また、給電アンテナを供給状態から所定の第１期間、停止状態に切り替えて、外部受電装置に給電可能な給電アンテナを特定するので、所定の第１期間以外は、供給状態を維持させることができる。その結果、外部受電装置に給電可能な給電アンテナを特定する制御を行う場合でも、特定するための制御を行う給電アンテナを供給状態にする期間をある程度長くすることができる。これらの結果、外部受電装置に効率良く電力を供給しながら、外部受電装置に給電可能な給電アンテナを特定することができる。
【０００９】
上記一の局面による給電装置では、好ましくは、制御部は、複数のスイッチにより、複数の給電アンテナを、所定の数ごとに、順次、所定の第１期間、供給状態から供給停止状態に切り替える制御を行うように構成されている。このように構成すれば、順次、給電アンテナを供給状態から所定の第１期間、停止状態に切り替えるので、いずれの複数の給電アンテナから外部受電装置に電力を供給する場合でも、容易に、外部受電装置に給電可能な給電アンテナを特定することができる。
【００１０】
上記一の局面による給電装置では、好ましくは、電源部に直列に接続されている複数の１次巻線と、複数の給電アンテナのそれぞれに接続されている複数の２次巻線とを含み、電源部からの電力を分配する電力分配部をさらに備え、複数のスイッチは、複数の１次巻線、または、複数の２次巻線のいずれか一方のそれぞれを、個別に短絡することにより、複数の給電アンテナを、個別に供給状態から供給停止状態に切り替えるように構成されている。このように構成すれば、１次巻線または２次巻線を短絡した場合、短絡された１次巻線または２次巻線に対応する給電アンテナ側には、電力は供給されないので、容易に、複数の給電アンテナを、それぞれ個別に供給状態から停止状態に切り替えることができる。
【００１１】
この場合、好ましくは、複数のスイッチは、複数の１次巻線のそれぞれの両端を個別に短絡することにより、複数の給電アンテナを、個別に供給状態から供給停止状態に切り替えるように構成されている。このように構成すれば、１次巻線を短絡した場合、短絡された１次巻線よりも２次巻線を含む給電アンテナ側には、電力は供給されない。これにより、２次巻線を短絡する場合に比べて、２次巻線に電力が供給されない分、２次巻線での電力損失が生じるのを抑制することができる。その結果、外部受電装置により効率良く電力を供給しながら、外部受電装置に給電可能な給電アンテナを特定することができる。
【００１２】
上記電力分配部を備える給電装置では、好ましくは、電源部の出力インピーダンスと複数の１次巻線のインピーダンスとを整合するインピーダンス整合部をさらに備え、制御部は、インピーダンス整合部を制御して、供給状態の給電アンテナの数、または、供給停止状態の給電アンテナの数のいずれか一方に応じて、電源部の出力インピーダンスと複数の１次巻線のインピーダンスとを整合するように構成されている。ここで、電源部に、Ｅ級増幅回路を設ける場合、電源部の出力側（電力分配部側）の出力インピーダンスの大きさが変化する場合には、零電圧スイッチングが困難になり、電力効率が低下する場合がある。すなわち、電源部の電力分配部側の出力インピーダンスは一定であることが好ましい。そこで、本発明では、制御部を、供給状態の給電アンテナの数、または、停止状態の給電アンテナの数のいずれか一方に応じて、電源部の出力インピーダンスと複数の１次巻線のインピーダンスとを整合するように、インピーダンス整合部を制御するように構成するので、複数の１次巻線のインピーダンスが、給電アンテナが供給状態から停止状態に切り替えられることにより変化した場合でも、電源部の電力分配部側の出力インピーダンスを一定にすることができる。その結果、１次巻線のインピーダンスの変化に起因する電力効率が低下するのを抑制しながら、外部受電装置に給電可能な給電アンテナを特定することができる。
【００１３】
上記電力分配部を備える給電装置では、好ましくは、電力分配部のインピーダンスを測定するインピーダンス測定部をさらに備え、制御部は、複数のスイッチにより、複数の給電アンテナのうちの少なくとも１つを供給状態から所定の第１期間、供給停止状態に切り替えて、電力の供給が停止されることに起因して変化するインピーダンスの測定値に基づいて、外部受電装置に給電可能な給電アンテナを特定する制御を行うように構成されている。このように構成すれば、インピーダンスの測定値に基づいて、外部受電装置に給電可能な給電アンテナを特定することができるので、外部受電装置から、通信部を介して、供給停止状態への変化に起因した情報を取得するように構成する必要がない。その結果、通信部が設けられていない外部受電装置に給電する場合にも、インピーダンスの測定値に基づいて、外部受電装置に給電可能な給電アンテナを特定することができる。
【００１４】
この場合、好ましくは、制御部は、インピーダンスの測定値の変化量が、第１のしきい値を超えた場合に、複数の給電アンテナのうちの供給状態から供給停止状態に切り替えた給電アンテナと、外部受電装置とを対応付ける制御を行うように構成されている。このように構成すれば、インピーダンスの測定値の変化量と、第１のしきい値とを比較することにより、容易に、複数の給電アンテナのうちの供給状態から停止状態に切り替えた給電アンテナと、外部受電装置とを対応付けることができる。
【００１５】
上記インピーダンス測定部を備える給電装置では、好ましくは、制御部は、インピーダンスの測定値の大きさが、第２のしきい値を超えたことに応じて、複数のスイッチにより、複数の給電アンテナのうちの少なくとも１つを供給状態から所定の第１期間、供給停止状態に切り替える制御を行うように構成されている。ここで、複数の給電アンテナのうちのいずれかの近傍に新たに外部受電装置が配置され、新たな外部受電装置に電力の供給が開始された場合には、インピーダンスの測定値の大きさが変化する。これにより、給電装置に外部受電装置が新たに配置されたことを検出することができる。この点に着目して、本発明では、制御部を、インピーダンスの測定値の大きさが、第２のしきい値を超えたことに応じて、複数のスイッチにより、複数の給電アンテナのうちの少なくとも１つを供給状態から所定の第１期間、供給停止状態に切り替える制御を行うように構成することにより、外部受電装置が新たに配置されたことを検出するまで、外部受電装置に給電可能な給電アンテナを特定するための処理を行う必要がないので、制御部やスイッチの負担を軽減することができる。
【００１６】
上記インピーダンス測定部を備える給電装置では、好ましくは、複数のスイッチを含む、複数のスイッチグループをさらに備え、制御部は、各スイッチグループに含まれる複数のスイッチごと同時に、複数の給電アンテナを供給状態から所定の第１期間、停止状態に切り替える制御を行うように構成されている。このように構成すれば、複数のスイッチを、１つずつ順次、供給状態から所定の第１期間、供給停止状態に切り替える場合と異なり、複数のスイッチごと同時に切り替える分、外部受電装置に給電可能な給電アンテナを特定するために要する時間を短縮することができる。
【００１７】
上記一の局面による給電装置では、好ましくは、制御部は、複数のスイッチのうち、特定された給電アンテナに対応するスイッチ以外のスイッチにより、複数の給電アンテナのうちの少なくとも１つを供給状態から所定の第１期間、供給停止状態に切り替えて、供給停止状態への変化に起因した情報に基づいて、外部受電装置に給電可能な給電アンテナを特定する制御を行うように構成されている。このように構成すれば、特定された給電アンテナに対応するスイッチを切り替えない分、外部受電装置に給電可能な給電アンテナを特定するために要する時間を短縮することができる。
【００１８】
上記インピーダンス整合部を備える給電装置では、好ましくは、外部受電装置と通信する通信部をさらに備え、制御部は、通信部を介して、供給停止状態への変化に起因した情報を取得して、取得した供給停止状態への変化に起因した情報に基づいて、外部受電装置に給電可能な給電アンテナを特定する制御を行うように構成されている。このように構成すれば、通信部を用いることにより、容易に、供給停止状態への変化に起因した情報を取得することができる。
【００１９】
この場合、好ましくは、制御部は、通信部を介して、特定された給電アンテナに対応する外部受電装置から受電の停止を示す情報を取得した場合に、供給状態の給電アンテナの数、または、供給停止状態の給電アンテナの数を変更して、変更した供給状態の給電アンテナの数、または、供給停止状態の給電アンテナの数に基づいて、インピーダンス整合部を制御するとともに、所定の第２期間、受電の停止を示す情報に対応する外部受電装置に電力を供給する給電アンテナを、供給状態にする制御を行うように構成されている。このように構成すれば、外部受電装置が一時的に給電アンテナから取り除かれ、外部受電装置から受電の停止を示す情報が送信された場合、インピーダンス整合部により、電源部の出力インピーダンスと複数の１次巻線のインピーダンスとが整合されるとともに、外部受電装置が取り除かれた給電アンテナには、電力の供給が継続される。これにより、インピーダンスが整合されることにより、電力効率が低下するのを抑制しながら、所定の第２期間以内に、再び外部受電装置が給電アンテナの近傍に載置された場合には、迅速に、外部受電装置に電力の供給を再開することができる。
【００２０】
上記通信部を備える給電装置では、好ましくは、制御部は、供給停止状態への変化に起因した情報を、同時に複数の外部受電装置から取得した場合には、複数の外部受電装置と複数の給電アンテナのうちのいずれかとを対応付けるとともに、スイッチにより、複数の外部受電装置が対応付けられた給電アンテナを供給停止状態にする制御を行うように構成されている。ここで、１つの給電アンテナの近傍に複数の外部受電装置が配置され、１つの給電アンテナから複数の外部受電装置に電力が供給される場合に、複数の外部受電装置のうちのいずれかに適した電力を供給することが考えられる。この場合、複数の外部受電装置のうちのいずれかに適した電力は、複数の外部受電装置のうちのその他に適した電力ではない場合があると考えられる。たとえば、外部受電装置の定格の受電電圧値を超える場合や、外部受電装置が受電可能な最低の受電電圧値を下回る場合があると考えられる。この点に対して、本発明では、制御部を、スイッチにより、複数の外部受電装置が対応付けられた給電アンテナを供給停止状態にする制御を行うように構成することにより、外部受電装置の定格の受電電圧値を超える場合や、外部受電装置が受電可能な最低の受電電圧値を下回る場合が生じるのを抑制することができる。
【発明の効果】
【００２１】
本発明によれば、上記のように、受電装置に効率良く電力を供給しながら、受電装置に給電可能な給電アンテナを特定することができる。
【図面の簡単な説明】
【００２２】
【図１】本発明の第１実施形態（第４実施形態）による給電装置の構成を示したブロック図である。
【図２】本発明の第１実施形態による給電装置のスイッチの動作を説明するためのタイミングチャート（１）である。
【図３】本発明の第１実施形態による給電装置のスイッチの動作を説明するためのタイミングチャート（２）である。
【図４】本発明の第１実施形態による給電装置の受電装置と給電アンテナとの対応付けの制御処理を説明するためのフローチャートである。
【図５】本発明の第２実施形態による給電装置の構成を示したブロック図である。
【図６】本発明の第３実施形態による給電装置の構成を示したブロック図である。
【図７】本発明の第３実施形態による給電装置のスイッチの動作を説明するためのタイミングチャートである。
【図８】本発明の第４実施形態による給電装置のスイッチの動作を説明するためのタイミングチャートである。
【図９】本発明の第５実施形態による給電装置の構成を示したブロック図である。
【図１０】本発明の第５実施形態による給電装置の受電装置と給電アンテナとの対応付けの制御処理を説明するためのフローチャートである。
【図１１】本発明の第６実施形態による給電装置の構成を示したブロック図である。
【図１２】本発明の第６実施形態による給電装置のインピーダンス整合部の構成を示した回路図である。
【図１３】本発明の第６実施形態による給電装置のインピーダンス整合部の動作を説明するための図である。
【図１４】本発明の第６実施形態による給電装置の受電装置と給電アンテナとの対応付けの制御処理を説明するためのフローチャートである。
【図１５】本発明の第６実施形態による給電装置の受電装置が一時的に取り除かれた場合の制御処理を説明するためのフローチャートである。
【図１６】本発明の第７実施形態による給電装置の構成を示したブロック図である。
【発明を実施するための形態】
【００２３】
以下、本発明の実施形態を図面に基づいて説明する。
【００２４】
［第１実施形態］
図１〜図３を参照して、本発明の第１実施形態による給電装置１００の構成について説明する。図１に示すように、第１実施形態による給電装置１００は、給電装置１００の近傍に配置された複数の受電装置２００に対して同時に、給電装置１００と受電装置２００との間に配線および接点等を設けずに、磁気共鳴方式を用いて、（ワイヤレス給電装置または非接点給電装置として）電力を供給するように構成されている。なお、第１実施形態による給電装置１００は、受電装置２００とともに、給電システムとして構成することが可能である。
【００２５】
（給電装置の全体構成）
図１に示すように、給電装置１００には、電源部１と、給電アンテナ２ａ〜２ｄを含む給電アンテナ部２と、スイッチ３ａ〜３ｄと、制御部４とが設けられている。
【００２６】
ここで、第１実施形態では、給電アンテナ２ａ〜２ｄは、それぞれ、電源部１からの電力を、受電装置２００に供給するように構成されている。また、スイッチ３ａは、電源部１と給電アンテナ２ａとの間に配置されており、スイッチ３ｂは、電源部１と給電アンテナ２ｂとの間に配置されており、スイッチ３ｃは、電源部１と給電アンテナ２ｃとの間に配置されており、スイッチ３ｄは、電源部１と給電アンテナ２ｄとの間に配置されている。
【００２７】
また、第１実施形態では、スイッチ３ａは、電源部１から給電アンテナ２ａに電力の供給が行われる供給状態（以下、「供給状態」）と、電力の供給が停止される供給停止状態（以下、「停止状態」）とを切り替えるように構成されている。また、スイッチ３ｂは、給電アンテナ２ｂについて、供給状態と停止状態とを切り替えるように構成されている。また、スイッチ３ｃは、給電アンテナ２ｃについて、供給状態と停止状態とを切り替えるように構成されている。また、スイッチ３ｄは、給電アンテナ２ｄについて、供給状態と停止状態とを切り替えるように構成されている。
【００２８】
そして、第１実施形態では、制御部４は、スイッチ３ａ〜３ｄの動作を制御することにより、給電アンテナ２ａ〜２ｄのうちの少なくとも１つを供給状態から所定の期間Ｔ１、停止状態に切り替えて、停止状態への変化に起因した情報に基づいて、受電装置２００と給電アンテナ２ａ〜２ｄのうちのいずれかとを対応付けて、受電装置２００に給電可能な給電アンテナ（給電アンテナ２ａ〜２ｄのうちのいずれか）を特定する制御を行うように構成されている。なお、所定の期間Ｔ１は、本発明の「所定の第１期間」の一例である。
【００２９】
（給電装置の各部の構成）
【００３０】
また、給電装置１００には、図１に示すように、電力分配部５と、インピーダンス測定部６と、記憶部７と、ケーブル８とが設けられている。
【００３１】
電源部１は、外部商用電源（図示せず）またはバッテリ部（図示せず）から電力を取得するように構成されている。そして、電源部１は、取得した電力を、制御部４による指令に基づいた給電電圧値を有する電力に電力変換するように構成されている。また、電源部１は、零電圧スイッチングが可能な、いわゆるＥ級増幅回路を含み、給電電圧値の電力を、給電アンテナ２ａ〜２ｄの共振周波数に対応した駆動周波数の交流の電力として、インピーダンス測定部６を介して、電力分配部５に供給するように構成されている。
【００３２】
電力分配部５は、トランス部５１ａ〜５１ｄを含む。そして、トランス部５１ａは、１次巻線５２ａおよび対応する２次巻線５３ａを含む。また、トランス部５１ｂは、１次巻線５２ｂおよび対応する２次巻線５３ｂを含む。また、トランス部５１ｃは、１次巻線５２ｃおよび対応する２次巻線５３ｃを含む。また、トランス部５１ｄは、１次巻線５２ｄおよび対応する２次巻線５３ｄを含む。
【００３３】
ここで、第１実施形態では、１次巻線５２ａ〜５２ｄは、電源部１に直列に接続されている。また、２次巻線５３ａは、給電アンテナ２ａに、２次巻線５３ｂは、給電アンテナ２ｂに、２次巻線５３ｃは、給電アンテナ２ｃに、２次巻線５３ｄは、給電アンテナ２ｄに、それぞれケーブル８を介して、接続されている。
【００３４】
給電アンテナ２ａ〜２ｄには、それぞれ給電コイルおよび整合回路が設けられている。給電アンテナ２ａ〜２ｄの給電コイルは、電力分配部５からの交流の電力により給電磁界を発生させて、電力を受電装置２００に供給するように構成されている。給電アンテナ２ａ〜２ｄの整合回路は、たとえば、共振コンデンサ等を含み、給電コイルとケーブル８とのインピーダンスを整合するように構成されている。
【００３５】
ここで、第１実施形態では、スイッチ３ａ〜３ｄは、２次巻線５３ａ〜５３ｄのそれぞれを、個別に短絡することにより、給電アンテナ２ａ〜２ｄを、個別に供給状態から停止状態に切り替えるように構成されている。
【００３６】
具体的には、スイッチ３ａ〜３ｄは、たとえば、ＦＥＴ（Ｆｉｅｌｄ  ＥｆｆｅｃｔＴｒａｎｓｉｓｔｏｒ）により構成されている。そして、スイッチ３ａは、２次巻線５３ａの両端に接続されており、制御部４からの指令により、２次巻線５３ａの両端を短絡する（オンする）状態と、２次巻線５３ａの両端を短絡しない（オフする）状態とを切り替えるように構成されている。そして、２次巻線５３ａの両端が短絡された場合には、スイッチ３ａよりも給電アンテナ２ａ側には、電力が供給されずに、給電アンテナ２ａは、停止状態となる。また、２次巻線５３ａの両端が短絡しない場合には、２次巻線５３ａから給電アンテナ２ａに電力が供給され、給電アンテナ２ａは、供給状態となる。
【００３７】
また、スイッチ３ｂ〜３ｄは、スイッチ３ａと同様に、２次巻線５３ｂ〜５３ｄのそれぞれの両端に接続されており、制御部４からの指令により、２次巻線５３ｂ〜５３ｄのそれぞれの両端を短絡する（オンする）状態と、２次巻線５３ｂ〜５３ｄのそれぞれの両端を短絡しない（オフする）状態とを切り替えるように構成されている。
【００３８】
なお、スイッチ３ａ〜３ｄを、２次巻線５３ａ〜５３ｄのそれぞれの両端に接続されるように構成することにより、１次巻線５２ａ〜５３ｄのそれぞれの両端に接続する場合に比べて、スイッチ３ａ〜３ｄを駆動するための回路（図示せず）の大型化を抑制することが可能である。すなわち、スイッチ３ａ〜３ｄを、ＦＥＴにより構成して、１次巻線５２ａ〜５３ｄに接続するように構成する場合には、たとえば、１次巻線５２ａに接続されるスイッチ３ａに印加される電圧値が比較的大きくなる。この場合、スイッチ３ａ〜３ｄを駆動するための回路に、スイッチ３ａ（のＦＥＴ）に電流が流入しないようにするための構成が必要になる。一方、スイッチ３ａ〜３ｄを、２次巻線５３ａ〜５３ｄのそれぞれの両端に接続されるように構成する場合には、スイッチ３ａ〜３ｄを駆動するための回路に、スイッチ３ａ（のＦＥＴ）に電流が流入しないようにするための構成が必要ではないので、この構成が必要ない分、容易にスイッチ３ａ〜３ｄを駆動するための回路を構成することが可能である。
【００３９】
インピーダンス測定部６は、電源部１と電力分配部５の１次側（１次巻線５２ａ）との間に配置されており、電力分配部５のインピーダンス（１次巻線５２ａ〜５２ｄのインピーダンスの合計値）を測定するように構成されている。
【００４０】
記憶部７は、制御部４の指令により、インピーダンスの測定値Ｚを記憶するように構成されている。また、記憶部７は、制御部４により、給電アンテナ２ａ〜２ｄと、受電装置２００とが対応付けられた場合には、対応付けの結果（受電装置２００に給電可能な給電アンテナの特定結果）を記憶するように構成されている。
【００４１】
ケーブル８は、たとえば、同軸ケーブルまたは平行フィーダにより構成されており、所定の特性インピーダンスを有するように構成されている。
【００４２】
（制御部の構成）
制御部４は、たとえば、ＣＰＵ（Ｃｅｎｔｒａｌ  Ｐｒｏｃｅｓｓｉｎｇ  Ｕｎｉｔ）などを含み、給電装置１００の各部の動作を制御するように構成されている。
【００４３】
ここで、第１実施形態では、制御部４は、インピーダンスの測定値Ｚの大きさが、検出しきい値Ｚｔを超えたことに応じて、スイッチ３ａ〜３ｄにより、給電アンテナ２ａ〜２ｄを、所定の数（たとえば、１つ）ごとに、順次、供給状態から期間Ｔ１の間、停止状態に切り替える制御を行うように構成されている。なお、検出しきい値Ｚｔは、本発明の「第２のしきい値」の一例である。
【００４４】
そして、第１実施形態では、制御部４は、インピーダンスの測定値Ｚの変化量Ｖが、変化量しきい値Ｖｔを超えた場合に、給電アンテナ２ａ〜２ｄのうちの供給状態から停止状態に切り替えた給電アンテナ２ａ〜２ｄのいずれかと、受電装置２００とを対応付けて、受電装置２００に給電可能な給電アンテナ（給電アンテナ２ａ〜２ｄのいずれか）を特定する制御を行うように構成されている。なお、インピーダンスの測定値Ｚの変化量Ｖは、本発明の「電力の供給が停止されることに起因して変化するインピーダンスの測定値」の一例である。また、変化量しきい値Ｖｔは、本発明の「第１のしきい値」の一例である。
【００４５】
たとえば、図２に示すように、時点ｔ１において、給電装置１００の近傍に受電装置２００が１台も配置されていないとする。また、制御部４は、時点ｔ１において、スイッチ３ａ〜３ｄにより、給電アンテナ２ａ〜２ｄをそれぞれ供給状態にしているとする。
【００４６】
そして、給電装置１００の近傍に１台も受電装置２００が配置されていない状態（時点ｔ１）から、給電装置１００の近傍に、新たに１つの受電装置２００が接近され（時点ｔ２）配置された場合（時点ｔ３）には、インピーダンスの測定値Ｚが、測定値Ｚ１から測定値Ｚ２に変化する。なお、検出しきい値Ｚｔは、測定値Ｚ２よりも小さい検出しきい値Ｚｔ１として設定されている。
【００４７】
そして、制御部４は、測定値Ｚ２が、検出しきい値Ｚｔ１を超えたことに応じて、時点ｔ３の後の時点ｔ４から時点ｔ５までの期間Ｔ１の間、スイッチ３ａをオンして２次巻線５３ａを短絡して、給電アンテナ２ａを停止状態に切り替える。そして、制御部４は、時点ｔ４から時点ｔ５までの期間Ｔ１の間に、インピーダンスの測定値Ｚの変化量Ｖが、変化量しきい値Ｖｔを超えたか否かを判断するように構成されている。
【００４８】
また、制御部４は、スイッチ３ｂ〜３ｄについても、スイッチ３ａと同様の制御を行うように構成されている。すなわち、制御部４は、時点ｔ６〜ｔ７の期間Ｔ１の間は、スイッチ３ｂを、時点ｔ８〜ｔ９の期間Ｔ１の間は、スイッチ３ｃを、時点ｔ１０〜ｔ１１の期間Ｔ１の間は、スイッチ３ｄをそれぞれオンして、インピーダンスの測定値Ｚの変化量Ｖ（第１の測定値Ｚｍ１と第２の測定値Ｚｍ２との差分値）が、変化量しきい値Ｖｔを超えたか否かを判断するように構成されている。
【００４９】
たとえば、制御部４は、時点ｔ６〜ｔ７の期間Ｔ１の間に、インピーダンスの測定値Ｚの変化量Ｖが、変化量しきい値Ｖｔを超えた場合には、給電アンテナ２ｂの近傍に新たに受電装置２００が配置されたと判断するように構成されている。そして、制御部４は、新たに配置された受電装置２００と給電アンテナ２ｂとを対応付けて、対応付けの結果（特定結果）を記憶部７に記憶するように構成されている。
【００５０】
また、制御部４は、新たに配置された受電装置２００と給電アンテナ２ｂとを対応付けた後、時点ｔ１２に、検出しきい値Ｚｔを、検出しきい値Ｚｔ１から検出しきい値Ｚｔ２に変更する（大きくする）ように構成されている。
【００５１】
また、制御部４は、検出しきい値Ｚｔが変更される値の大きさを、新たに受電装置２００が配置された後のインピーダンスの測定値Ｚの大きさ、または、新たに受電装置２００が配置されることによるインピーダンスの測定値Ｚの変化量Ｖの大きさの少なくとも一方に基づいて、設定するように構成されている。言い換えると、制御部４は、検出しきい値Ｚｔが変更される値の大きさを、新たに受電装置２００のインピーダンス（負荷）に応じて変更するように構成されている。
【００５２】
また、制御部４は、給電アンテナ２ａ〜２ｄのいずれかに受電装置２００が対応付けられている場合には、取り除きしきい値Ｚｒ（＜Ｚｔ２）を設定するように構成されている。そして、制御部４は、インピーダンスの測定値Ｚが、検出しきい値Ｚｔ２を超えるか（図２参照）、または、取り除きしきい値Ｚｒ未満の場合（図３参照）には、給電アンテナ２ａ〜２ｄを、所定の数（たとえば、１つ）ごとに、順次、供給状態から期間Ｔ１の間、停止状態に切り替える制御を行うように構成されている。
【００５３】
たとえば、図２に示すように、制御部４は、インピーダンスの測定値Ｚが、検出しきい値Ｚｔ２を超えた場合（時点ｔ１３）には、給電アンテナ２ａ〜２ｄを、所定の数（たとえば、１つ）ごとに、順次、供給状態から期間Ｔ１の間、停止状態に切り替えるように構成されている。そして、たとえば、制御部４は、時点ｔ１４〜ｔ１５、および、時点ｔ１６〜ｔ１７において、変化量Ｖが変化量しきい値Ｖｔを超えた場合には、給電アンテナ２ｄに新たに受電装置２００が配置されたと判断して、新たに配置された受電装置２００と給電アンテナ２ｄと対応付けて、対応付けの結果を記憶部７に記憶させるように構成されている。
【００５４】
なお、図２には図示していないが、上記の処理の後、制御部４は、さらに検出しきい値Ｚｔの大きさを変更するとともに、取り除きしきい値Ｚｒの大きさも変更するように構成されている。
【００５５】
また、図３に示すように、制御部４は、インピーダンスの測定値Ｚが、取り除きしきい値Ｚｒ未満の場合（時点ｔ１８）には、給電アンテナ２ａ〜２ｄを、所定の数（たとえば、１つ）ごとに、順次、供給状態から期間Ｔ１の間、停止状態に切り替えるように構成されている。そして、たとえば、制御部４は、いずれの期間にも、変化量Ｖが変化量しきい値Ｖｔを超えない場合には、給電アンテナ２ｂに配置された受電装置２００が取り除かれたと判断して、受電装置２００と給電アンテナ２ｂとの対応付けの結果（特定結果）を、記憶部７から削除するように構成されている。そして、制御部４は、検出しきい値ＺｔをＺｔ２からＺｔ１に戻すように構成されている。
【００５６】
（受電装置の構成）
次に、図１を参照して、受電装置２００の構成について説明する。
【００５７】
受電装置２００には、たとえば、スマートフォンからなり、受電アンテナ部２０１と、負荷２０２と、制御部２０３とが設けられている。
【００５８】
受電アンテナ部２０１は、共振コンデンサおよび受電コイルを含み、給電装置１００から、電力を給電アンテナ２ａ〜２ｄのいずれかと磁界結合することにより受電するように構成されている。なお、給電装置１００のインピーダンスの測定値Ｚの大きさは、給電アンテナ２ａ〜２ｄのいずれかと受電アンテナ部２０１とが、磁界結合することにより、負荷２０２の大きさに応じて、変化する。
【００５９】
負荷２０２は、たとえば、受電装置２００の各種機能（たとえば、スマートフォンとしての機能）を発揮するために電力を消費する回路やバッテリ部として構成されている。
【００６０】
制御部２０３は、受電装置２００の各部の動作を制御するように構成されている。
【００６１】
（給電装置による制御処理）
次に、図４を参照して、第１実施形態の給電装置１００による受電装置２００と給電アンテナ２ａ〜２ｄとの対応付け（受電装置２００に給電可能な給電アンテナを特定する）の制御処理フローについて説明する。以下の制御処理は、制御部４により実行される。
【００６２】
なお、図４では、ｉを、整数の変数として記載しており、スイッチ３ａを第１スイッチとして、スイッチ３ｂを第２スイッチとして、スイッチ３ｃを第３スイッチとして、スイッチ３ｄを第４スイッチとして、記載している。また、給電アンテナ２ａを第１給電アンテナとして、給電アンテナ２ｂを第２給電アンテナとして、給電アンテナ２ｃを第３給電アンテナとして、給電アンテナ２ｄを第４給電アンテナとして記載している。
【００６３】
また、スイッチ３ａ〜３ｄにより、給電アンテナ２ａ〜２ｄを、所定の数（たとえば、１つ）ごとに、順次、供給状態から期間Ｔ１の間、停止状態に切り替える制御を行う前に取得されたインピーダンスの測定値Ｚを、第１の測定値Ｚｍ１とし、後に取得されたインピーダンスの測定値Ｚを、第２の測定値Ｚｍ２とする。
【００６４】
まず、ステップＳ１において、インピーダンス測定部６により、インピーダンスの測定値Ｚの取得（第１の測定値Ｚｍ１の取得）が行われる。その後、ステップＳ２に進む。
【００６５】
ステップＳ２において、第１の測定値Ｚｍ１が検出しきい値Ｚｔを超えたか、または、第１の測定値Ｚｍ１が取り除きしきい値Ｚｒ未満か否かが判断される。第１の測定値Ｚｍ１が検出しきい値Ｚｔを超えたか、または、第１の測定値Ｚｍ１が取り除きしきい値Ｚｒ未満の場合には、ステップＳ４に進み、第１の測定値Ｚｍ１が検出しきい値Ｚｔ以下で、かつ、第１の測定値Ｚｍ１が取り除きしきい値Ｚｒ以上の場合には、ステップＳ３に進む。
【００６６】
ステップＳ３において、第１の測定値Ｚｍ１が記憶部７に記憶される。なお、ここで、記憶部７に記憶された第１の測定値Ｚｍ１に基づいて、検出しきい値Ｚｔの大きさが変更（補正）されてもよい。その後、ステップＳ１に戻る。すなわち、１の測定値Ｚｍ１が検出しきい値Ｚｔを超えたか、または、第１の測定値Ｚｍ１が取り除きしきい値Ｚｒ未満になるまで、ステップＳ１〜Ｓ３が繰り返される。
【００６７】
ステップＳ４において、第１の測定値Ｚｍ１が記憶部７に記憶される。その後、ステップＳ５に進む。
【００６８】
ステップＳ５において、変数ｉが１に設定される。その後、ステップＳ６に進む。
【００６９】
ステップＳ６において、第ｉスイッチ（スイッチ３ａ〜３ｄのうちのいずれか）を、期間Ｔ１の間、オンするとともに、第ｉスイッチ以外のスイッチはオフして、第ｉスイッチに対応する第ｉ給電アンテナ（給電アンテナ２ａ〜２ｄのうちのいずれか）を停止状態にする。その後、ステップＳ７に進む。
【００７０】
ステップＳ７において、インピーダンスの測定値Ｚの取得（第２の測定値Ｚｍ２の取得）が行われる。その後、ステップＳ８に進む。
【００７１】
ステップＳ８において、変化量Ｖ（第１の測定値Ｚｍ１と第２の測定値Ｚｍ２との差分値）の取得が行われる。その後、ステップＳ９に進む。
【００７２】
ステップＳ９において、変化量Ｖが変化量しきい値Ｖｔを超えたか否かが判断される。変化量Ｖが変化量しきい値Ｖｔを超えた場合には、ステップＳ１１に進み、変化量Ｖが変化量しきい値Ｖｔを超えない場合には、ステップＳ１０に進む。
【００７３】
ステップＳ９において変化量Ｖが変化量しきい値Ｖｔを超えない場合に進むステップＳ１０において、第ｉ給電アンテナの検出結果として受電装置２００がなしとされる。すなわち、第ｉ給電アンテナの近傍には受電装置２００が配置されていないとする検出結果が取得される。その後、ステップＳ１２に進む。
【００７４】
ステップＳ９において変化量Ｖが変化量しきい値Ｖｔを超える場合に進むステップＳ１１において、第ｉ給電アンテナの検出結果として受電装置２００がありとされる。すなわち、第ｉ給電アンテナの近傍に受電装置２００が配置されているとして検出結果が取得され、受電装置２００が第ｉ給電アンテナに対応付けられる。その後、ステップＳ１２に進む。
【００７５】
ステップＳ１２において、第ｉスイッチをオフして、第ｉスイッチに対応する第ｉ給電アンテナを供給状態にする。
【００７６】
ステップＳ１３において、全て（第１〜第４）のスイッチの検出結果が取得されたか否かが判断される。たとえば、変数ｉが最大数（たとえば、４）であるか否かが判断される。全て（第１〜第４）のスイッチの検出結果が取得された場合には、ステップＳ１５に進み、まだ、全て（第１〜第４）のスイッチの検出結果が取得されていない場合には、ステップＳ１４に進む。
【００７７】
ステップＳ１４において、変数ｉに１が加えられる。すなわち、全てのスイッチの検出結果が取得されるまで、ステップＳ６〜Ｓ１４が繰り返される。その後、ステップＳ６に戻る。
【００７８】
ステップＳ１５において、受電装置２００と給電アンテナ２ａ〜２ｄとの対応付けの結果（特定結果）が記憶部７に記憶される。
【００７９】
ステップＳ１６において、検出しきい値Ｖｔの大きさが変更される。たとえば、上記の例（図３参照）の場合、検出しきい値Ｖｔ１からＶｔ２に変更される。なお、取り除きしきい値Ｚｒが設定されている場合には、この時大きさが変更される。その後、第１実施形態による給電装置１００の受電装置２００と給電アンテナ２ａ〜２ｄとの対応付けの制御処理は終了される。
【００８０】
［第１実施形態の効果］
第１実施形態では、以下のような効果を得ることができる。
【００８１】
第１実施形態では、上記のように、制御部４を、給電アンテナ２ａ〜２ｄのうちの少なくとも１つを供給状態から期間Ｔ１の間、停止状態に切り替えて、停止状態への変化に起因した情報に基づいて受電装置２００に給電可能な給電アンテナ（給電アンテナ２ａ〜２ｄのいずれか）を特定する制御を行うように構成する。これにより、全ての給電アンテナ２ａ〜２ｄを停止状態にした後、給電アンテナ２ａ〜２ｄのうちから１つずつ給電アンテナ（２ａ〜２ｄのうちのいずれか）を選択して順次供給状態にする場合と異なり、供給状態から停止状態に切り替えた受電装置２００以外の受電装置２００に対応する給電アンテナ２ａ〜２ｄは供給状態を維持させることができる。また、給電アンテナ２ａ〜２ｄを供給状態から期間Ｔ１の間、停止状態に切り替えて、受電装置２００に給電可能な給電アンテナを特定するので、期間Ｔ１の間以外は、対応付ける制御が行われる給電アンテナ２ａ〜２ｄにおいても供給状態を維持させることができる。その結果、受電装置２００に給電可能な給電アンテナを特定する制御を行う場合でも、特定するための制御を行う給電アンテナ２ａ〜２ｄを供給状態にする期間（期間Ｔ１以外の時間）をある程度長くすることができる。これらの結果、受電装置２００に効率良く電力を供給しながら、受電装置２００に給電可能な給電アンテナを特定する（給電アンテナ２ａ〜２ｄと受電装置２００とを対応付ける）ことができる。
【００８２】
また、第１実施形態では、上記のように、制御部４を、スイッチ３ａ〜３ｄにより、給電アンテナ２ａ〜２ｄを、所定の数（たとえば、１つ）ごとに、順次、供給状態から期間Ｔ１の間、停止状態に切り替える制御を行うように構成する。これにより、順次、給電アンテナ２ａ〜２ｄを供給状態から期間Ｔ１の間、停止状態に切り替えるので、いずれの給電アンテナ２ａ〜２ｄから受電装置２００に電力を供給する場合でも、容易に、給電アンテナ２ａ〜２ｄと受電装置２００とを対応付ける（受電装置２００に給電可能な給電アンテナを特定する）ことができる。
【００８３】
また、第１実施形態では、上記のように、給電装置１００に、電源部１に直列に接続されている１次巻線５２ａ〜５２ｄと、給電アンテナ２ａ〜２ｄのそれぞれに接続されている２次巻線５３ａ〜５３ｄとを含み、電源部１からの電力を分配する電力分配部５を設ける。また、スイッチ３ａ〜３ｄを、２次巻線５２ａ〜５２ｄのそれぞれを、個別に短絡することにより、給電アンテナ２ａ〜２ｄを、個別に供給状態から停止状態に切り替えるように構成する。これにより、１次巻線５２ａ〜５２ｄを短絡した場合、短絡された２次巻線５２ａ〜５２ｄよりも対応する給電アンテナ２ａ〜２ｄ側には、電力は供給されないので、容易に、給電アンテナ２ａ〜２ｄを、それぞれ個別に供給状態から停止状態に切り替えることができる。
【００８４】
また、第１実施形態では、上記のように、給電装置１００に、電力分配部３のインピーダンスを測定するインピーダンス測定部６を設ける。また、制御部４を、スイッチ３ａ〜３ｄにより、給電アンテナ２ａ〜２ｄのうちの少なくとも１つを供給状態から期間Ｔ１の間、停止状態に切り替えて、電力の供給が停止されることに起因して変化するインピーダンスの測定値Ｚに基づいて、受電装置２００と給電アンテナ２ａ〜２ｄのうちのいずれかとを対応付ける制御を行うように構成する。これにより、インピーダンスの測定値Ｚに基づいて、受電装置２００と給電アンテナ２ａ〜２ｄのうちのいずれかとを対応付けることができるので、受電装置２００から、通信部を介して、電力の供給が停止されることに起因して生成される情報を取得するように構成する必要がない。その結果、通信部が設けられていない受電装置２００に給電する場合にも、インピーダンスの測定値Ｚに基づいて、給電アンテナ２ａ〜２ｄと受電装置２００とを対応付ける（受電装置２００に給電可能な給電アンテナを特定する）ことができる。
【００８５】
また、第１実施形態では、上記のように、制御部４を、インピーダンスの測定値Ｚの変化量Ｖが、変化量しきい値Ｖｔを超えた場合に、給電アンテナ２ａ〜２ｄのうちの供給状態から停止状態に切り替えた給電アンテナ（２ａ〜２ｄのいずれか）と、受電装置２００とを対応付ける制御を行うように構成する。これにより、インピーダンスの測定値Ｚの変化量Ｖと、変化量しきい値Ｖｔとを比較することにより、容易に、給電アンテナ２ａ〜２ｄのうちの供給状態から停止状態に切り替えた給電アンテナ（２ａ〜２ｄのいずれか）と、受電装置２００とを対応付けることができる。
【００８６】
また、第１実施形態では、上記のように、制御部４を、インピーダンスの測定値Ｚの大きさが、検出しきい値Ｚｔを超えたことに応じて、スイッチ３ａ〜３ｄにより、給電アンテナ２ａ〜２ｄのうちの少なくとも１つを供給状態から期間Ｔ１の間、停止状態に切り替える制御を行うように構成する。ここで、給電アンテナ２ａ〜２ｄのうちのいずれかの近傍に新たに受電装置２００が配置され、新たな受電装置２００に電力の供給が開始された場合には、インピーダンスの測定値Ｚの大きさが変化する。これにより、給電装置１００に受電装置２００が新たに配置されたことを検出することができる。この点に着目して、第１実施形態では、制御部４を、インピーダンスの測定値Ｚの大きさが、検出しきい値Ｚｔを超えたことに応じて、スイッチ３ａ〜３ｄにより、給電アンテナ２ａ〜２ｄのうちの少なくとも１つを供給状態から期間Ｔ１の間、停止状態に切り替える制御を行うように構成することにより、受電装置２００が新たに配置されたことを検出するまで、給電アンテナ２ａ〜２ｄのいずれかと受電装置２００とを対応付けるための処理（受電装置２００に給電可能な給電アンテナを特定するための処理）を行う必要がないので、制御部４やスイッチ３ａ〜３ｄの負担を軽減することができる。
【００８７】
［第２実施形態］
次に、図５を参照して、第２実施形態による給電装置３００の構成について説明する。第２実施形態による給電装置３００では、スイッチ３ａ〜３ｄが、２次巻線５３ａ〜５３ｄのそれぞれの両端に設けられていた第１実施形態による給電装置１００と異なり、スイッチ３０３ａ〜３０３ｄは、１次巻線５２ａ〜５２ｄのそれぞれの両端に設けられている。なお、上記第１実施形態と同一の構成については、同じ符号を付してその説明を省略する。
【００８８】
（第２実施形態による給電装置の構成）
図５に示すように、第２実施形態による給電装置３００は、制御部４ａと、スイッチ３０３ａ〜３０３ｄを含む。
【００８９】
ここで、第２実施形態では、スイッチ３０３ａ〜３０３ｄは、１次巻線５２ａ〜５２ｄのそれぞれの両端を個別に短絡することにより、給電アンテナ２ａ〜２ｄを、個別に供給状態から停止状態に切り替えるように構成されている。
【００９０】
具体的には、スイッチ３０３ａは、制御部４ａからの指令により、オンされた場合には、１次巻線５２ａの両端を短絡させて、電源部１からの電力を、１次巻線５２ａよりも給電アンテナ２ａ側に供給しないように構成されている。これにより、スイッチ３０３ａは、制御部４ａからの指令により、給電アンテナ２ａを供給状態と停止状態とを切り替えるように構成されている。また、スイッチ３０３ｂ〜３０３ｄは、スイッチ３０３ａと同様に、制御部４ａからの指令により、給電アンテナ２ｂ〜２ｄをそれぞれ供給状態と停止状態とを切り替えるように構成されている。
【００９１】
そして、制御部４ａは、第１実施形態の給電装置１００の制御部４と同様に、スイッチ３０３ａ〜３０３ｄにより、給電アンテナ２ａ〜２ｄのうちの少なくとも１つを供給状態から期間Ｔ１の間、停止状態に切り替えて、供給停止状態への変化に起因した情報（電力の供給が停止されることに起因して生成される情報であるインピーダンスの測定値Ｚ）に基づいて、受電装置２００と給電アンテナ２ａ〜２ｄのうちのいずれかとを対応付ける（受電装置２００に給電可能な給電アンテナを特定する）制御を行うように構成されている。
【００９２】
また、第２実施形態による給電装置３００のその他の構成は、第１実施形態における給電装置１００と同様である。
【００９３】
［第２実施形態の効果］
第２実施形態では、以下のような効果を得ることができる。
【００９４】
第２実施形態では、上記のように、スイッチ３０３ａ〜３０３ｄを、１次巻線５２ａ〜５２ｄのそれぞれの両端を個別に短絡することにより、給電アンテナ２ａ〜２ｄを、個別に供給状態から停止状態に切り替えるように構成する。これにより、１次巻線５２ａ〜５２ｄを短絡した場合、短絡された１次巻線（５２ａ〜５２ｄのうちのいずれか）よりも２次巻線５３ａ〜５３ｄを含む給電アンテナ２ａ〜２ｄ側には、電力は供給されない。これにより、２次巻線５３ａ〜５３ｄを短絡する場合に比べて、２次巻線５３ａ〜５３ｄに電力が供給されない分、２次巻線５３ａ〜５３ｄでの電力損失が生じるのを抑制することができるので、受電装置２００により効率良く電力を供給しながら、給電アンテナ２ａ〜２ｄと受電装置２００とを対応付ける（受電装置２００に給電可能な給電アンテナを特定する）ことができる。
【００９５】
また、第２実施形態による給電装置３００のその他の効果は、第１実施形態における給電装置１００と同様である。
【００９６】
［第３実施形態］
次に、図６および図７を参照して、第３実施形態による給電装置４００の構成について説明する。第３実施形態による給電装置４００では、１つのスイッチ（３ａ〜３ｄのうちのいずれか）ごと、順次、給電アンテナ２ａ〜２ｄのいずれかを、供給状態から期間Ｔ１の間、停止状態に切り替える制御を行うように構成されていた第１実施形態による給電装置１００と異なり、スイッチグループ４３１または４３２に含まれる複数のスイッチ（４０３ａおよび４０３ｂ、または、４０３ｃおよび４０３ｄ）ごと同時に、給電アンテナ２ａ〜２ｄを、供給状態から期間Ｔ１の間、停止状態に切り替える制御を行うように構成されている。なお、上記第１実施形態または上記第２実施形態と同一の構成については、同じ符号を付してその説明を省略する。
【００９７】
（第３実施形態による給電装置の構成）
図６に示すように、第３実施形態による給電装置４００には、制御部４０４と、スイッチグループ４３１および４３２とを含む。そして、スイッチグループ４３１は、スイッチ４０３ａおよび４０３ｂを含み、スイッチグループ４３２は、スイッチ４０３ｃおよび４０３ｄを含む。
【００９８】
ここで、第３実施形態では、制御部４０４は、スイッチグループ４３１または４３２に含まれる複数のスイッチ（４０３ａおよび４０３ｂ、または、４０３ｃおよび４０３ｄ）ごと同時に、給電アンテナ２ａ〜２ｄを供給状態から期間Ｔ１の間、停止状態に切り替える制御を行うように構成されている。
【００９９】
具体的には、制御部４０４は、図７に示すように、スイッチグループ４３１に含まれるスイッチ４０３ａおよび４０３ｂを同時に、給電アンテナ２ａ〜２ｄを供給状態から期間Ｔ１の間、停止状態に切り替えるとともに、期間Ｔ１の間に、インピーダンスの測定値Ｚの変化量Ｖが変化量しきい値Ｖｔを超えるか否かを判断するように構成されている。
【０１００】
そして、制御部４０４は、インピーダンスの測定値Ｚの変化量Ｖが変化量しきい値Ｖｔを超えるか否かの判断結果に基づいて、スイッチグループ４３１、または、スイッチグループ４３２のいずれかに含まれるスイッチ（４０３ａおよび４０３ｂ、または、４０３ｃおよび４０３ｄ）の少なくとも１つにより、給電アンテナ２ａおよび２ｂを供給状態から期間Ｔ１の間、停止状態に切り替えて、インピーダンスの測定値Ｚの変化量Ｖが変化量しきい値Ｖｔを超えるか否かを判断するように構成されている。
【０１０１】
すなわち、スイッチグループ４３１により給電アンテナ２ａおよび２ｂを停止状態に切り替えた際に、インピーダンスの測定値Ｚの変化量Ｖが変化量しきい値Ｖｔを超える場合には、給電アンテナ２ａおよび２ｂのいずれかの近傍に受電装置２００が配置されたと、制御部４０４が判断することが可能である。この場合、制御部４０４は、給電アンテナ２ｃおよび２ｄは、供給状態を維持したまま、給電アンテナ２ａおよび２ｂのうちのいずれかを、供給状態から停止状態に切り替える。そして、制御部４０４は、インピーダンスの測定値Ｚの変化量Ｖが変化量しきい値Ｖｔを超えるか否かの判断結果を取得することにより、給電アンテナ２ａまたは２ｂと、新たに配置された受電装置２００とを対応付けることが可能である。
【０１０２】
より詳細には、図７に示すように、制御部４０４は、インピーダンスの測定値Ｚが検出しきい値Ｚ１を超えたこと（時点ｔ２１）に応じて、スイッチグループ４３１に含まれるスイッチ４０３ａおよび４０３ｂを同時に、給電アンテナ２ａおよび２ｂを供給状態から期間Ｔ１の間（時点ｔ２２〜ｔ２３）、停止状態に切り替えるように構成されている。
【０１０３】
そして、制御部４０４は、インピーダンスの測定値Ｚの変化量Ｖの大きさが変化量しきい値Ｖｔを超えたことに基づいて、スイッチグループ４３１に含まれるスイッチ４０３ａを期間Ｔ１の間（時点ｔ２４〜ｔ２５）、給電アンテナ２ａを供給状態から停止状態に切り替えるように構成されている。
【０１０４】
そして、制御部４０４は、期間Ｔ１の間（時点ｔ２４〜ｔ２５）に、インピーダンスの測定値Ｚの変化量Ｖが変化量しきい値Ｖｔを超えた場合には、受電装置２００と給電アンテナ２ａとを対応付ける（受電装置２００に給電可能な給電アンテナは給電アンテナ２ａであると特定する）とともに、対応付けの結果（特定結果）を、記憶部７に記憶するように構成されている。
【０１０５】
また、スイッチグループ４３１により給電アンテナ２ａおよび２ｂを同時に停止状態に切り替えた際に、インピーダンスの測定値Ｚの変化量Ｖが変化量しきい値Ｖｔを超えない場合には、給電アンテナ２ｃおよび２ｄのいずれかの近傍に受電装置２００が配置されたと、制御部４０４が判断するように構成されている。この場合、制御部４０４は、給電アンテナ２ａおよび２ｂは、供給状態を維持したまま、給電アンテナ２ｃおよび２ｄのうちのいずれかを、供給状態から停止状態に切り替えることにより、給電アンテナ２ｃまたは２ｄと、新たに配置された受電装置２００とを対応付けることが可能である。
【０１０６】
また、第３実施形態による給電装置４００のその他の構成は、第１実施形態における給電装置１００と同様である。
【０１０７】
［第３実施形態の効果］
第３実施形態では、以下のような効果を得ることができる。
【０１０８】
第３実施形態では、上記のように、制御部４０４は、スイッチグループ４３１または４３２に含まれる複数のスイッチ（４０３ａおよび４０３ｂ、または、４０３ｃおよび４０３ｄ）ごと同時に、給電アンテナ２ａ〜２ｄを供給状態から期間Ｔ１の間、停止状態に切り替える制御を行うように構成されている。これにより、複数のスイッチを、１つずつ順次、供給状態から所定の期間Ｔ１、停止状態に切り替える場合と異なり、複数のスイッチ（４０３ａおよび４０３ｂ、または、４０３ｃおよび４０３ｄ）ごと同時に切り替える分、受電装置２００と給電アンテナ２ａ〜２ｄとの対応付け（受電装置２００に給電可能な給電アンテナを特定するの）に要する時間を短縮することができる。
【０１０９】
また、第３実施形態による給電装置４００のその他の効果は、第１実施形態における給電装置１００と同様である。
【０１１０】
［第４実施形態］
次に、図１および図８を参照して、第４実施形態による給電装置５００の構成について説明する。第４実施形態による給電装置５００では、スイッチ３ａ〜３ｄのうち、受電装置２００が対応付けられた給電アンテナ２ｂに対応するスイッチ３ｂ以外のスイッチ３ａ、３ｃおよび３ｄにより、受電装置２００と給電アンテナ２ａ〜２ｄのうちのいずれかとを対応付ける制御を行うように構成されている。なお、上記第１〜第３実施形態と同一の構成については、同じ符号を付してその説明を省略する。
【０１１１】
（第４実施形態による給電装置の構成）
図１に示すように、第４実施形態による給電装置５００には、制御部５０４が設けられている。
【０１１２】
ここで、第４実施形態では、制御部５０４は、スイッチ３ａ〜３ｄのうち、受電装置２００と対応付けられた給電アンテナ２ｂに対応するスイッチ３ｂ以外のスイッチ３ａ、３ｃおよび３ｄにより、給電アンテナ２ａ、２ｃおよび２ｄを、１つずつ順次、供給状態から期間Ｔ１の間、停止状態に切り替えて、停止状態への変化に起因した情報（インピーダンス測定値Ｚ）に基づいて、受電装置２００と給電アンテナ２ａ、２ｃおよび２ｄのうちのいずれかとを対応付ける（受電装置２００に給電可能な給電アンテナを特定する）制御を行うように構成されている。すなわち、制御部５０４は、既に対応付けされている給電アンテナ２ｂは、供給状態を維持させる制御を行うように構成されている。
【０１１３】
具体的には、図８に示すように、給電アンテナ２ａ〜２ｄのうちいずれにも受電装置２００が対応付けられていない状態から、１つの受電装置２００が給電アンテナ（たとえば、給電アンテナ２ｂ）に配置された場合（時点ｔ１〜ｔ１２）には、制御部５０４は、図２に示す第１実施形態による給電装置１００の制御部４と同様の処理を行う。
【０１１４】
そして、時点ｔ３１は、受電装置２００が給電アンテナ２ｂに対応付けられた状態で、新たに受電装置２００が給電アンテナのいずれか（たとえば、給電アンテナ２ｄ）の近傍に配置された時点を示している。この場合、制御部５０４は、スイッチ３ｂ以外のスイッチ３ａ、３ｃおよび３ｄにより、給電アンテナ２ａ、２ｃおよび２ｄを、１つずつ順次、供給状態から期間Ｔ１の間、停止状態に切り替える制御を行うように構成されている。
【０１１５】
すなわち、制御部５０４は、時点ｔ３２〜ｔ３３の間、スイッチ３ａにより、給電アンテナ２ａを停止状態に切り替えて、時点ｔ３４〜ｔ３５の間、スイッチ３ｃにより、給電アンテナ２ｃを停止状態に切り替えて、時点ｔ３６〜ｔ３７の間、スイッチ３ｄにより、給電アンテナ２ｄを停止状態に切り替える。
【０１１６】
たとえば、制御部５０４は、時点ｔ３６〜ｔ３７の間に、インピーダンス測定値Ｚの変化量Ｚが、変化量しきい値Ｚｔを超えた場合には、新たな受電装置２００と給電アンテナ２ｄとを対応付けて、対応付けの結果を、記憶部７に記憶する制御を行うように構成されている。
【０１１７】
また、第４実施形態による給電装置５００のその他の構成は、第１実施形態における給電装置１００と同様である。
【０１１８】
［第４実施形態の効果］
第４実施形態では、以下のような効果を得ることができる。
【０１１９】
第４実施形態では、上記のように、制御部５０４を、スイッチ３ａ〜３ｄのうち、受電装置２００と対応付けられた給電アンテナ２ｂに対応するスイッチ３ｂ以外のスイッチ３ａ、３ｃおよび３ｄにより、給電アンテナ２ａ、２ｃおよび２ｄを、１つずつ順次、供給状態から期間Ｔ１の間、停止状態に切り替えて、電力の供給が停止されることに起因して生成される情報（インピーダンス測定値Ｚ）に基づいて、受電装置２００と給電アンテナ２ａ、２ｃおよび２ｄのうちのいずれかとを対応付ける制御を行うように構成する。これにより、受電装置２００と対応付けられた給電アンテナ２ｂに対応するスイッチ３ｂを切り替えない分、受電装置２００と給電アンテナ２ａ、２ｃおよび２ｄのうちのいずれかとを対応付ける（受電装置２００に給電可能な給電アンテナを特定する）ために要する時間を短縮することができる。
【０１２０】
また、第４実施形態による給電装置５００のその他の効果は、第１実施形態における給電装置１００と同様である。
【０１２１】
［第５実施形態］
次に、図９を参照して、第５実施形態による給電装置６００の構成について説明する。第５実施形態による給電装置６００には、電源部１の出力インピーダンスと１次巻線５２ａ〜５２ｄのインピーダンスとを整合するインピーダンス整合部６０９が設けられている。なお、上記第１〜第４実施形態と同一の構成については、同じ符号を付してその説明を省略する。
【０１２２】
（第５実施形態による給電装置の構成）
図９に示すように、第５実施形態による給電装置６００には、スイッチ３０３ａ〜３０３ｄと、制御部６０４と、インピーダンス整合部６０９とが設けられている。
【０１２３】
ここで、第５実施形態では、インピーダンス整合部６０９は、電源部１の出力インピーダンスと１次巻線５２ａ〜５２ｄのインピーダンスとを整合するように構成されている。また、制御部６０４は、供給状態の給電アンテナの数に基づいて、電源部１の出力インピーダンスと１次巻線５２ａ〜５２ｄのインピーダンスとを整合するように、インピーダンス整合部６０９を制御するように構成されている。
【０１２４】
具体的には、図９に示すように、インピーダンス整合部６０９は、たとえば、タップ付トランスとして構成されており、１次側の巻線および２次側の巻線のうちの少なくとも２次側の巻線の巻き数を、制御部６０４の指令に基づいて、変更可能に構成されている。そして、インピーダンス整合部６０９の１次側は、電源部１（インピーダンス測定部６）に接続されており、インピーダンス整合部６０９の２次側は、電力分配部５の１次巻線５２ａに接続されている。
【０１２５】
これにより、インピーダンス整合部６０９は、１次巻線５２ａ〜５２ｄのインピーダンスの大きさが、スイッチ３０３ａ〜３０３ｄにより短絡されて変化した場合でも、１次側のインピーダンスを一定に保つ（インピーダンス整合を行う）ことが可能に構成されている。
【０１２６】
そして、制御部６０４は、スイッチ３０３ａ〜３０３ｄの動作に同期させるとともに、供給状態の給電アンテナの数に応じて、インピーダンス整合部６０９を制御するように構成されている。たとえば、供給状態の給電アンテナの数が小さくなることに応じて、１次巻線５２ａ〜５２ｄのインピーダンスは小さくなるので、制御部６０４は、スイッチ３０３ａ〜３０３ｄをオンすると略同時に、２次側の巻線の巻き数を減らす（タップ付トランスのタップを切り替える）制御を行うように構成されている。
【０１２７】
また、第５実施形態による給電装置６００のその他の構成は、第１実施形態における給電装置１００と同様である。
【０１２８】
（第５実施形態による給電装置の制御処理）
次に、図１０を参照して、第５実施形態の給電装置６００による受電装置２００と給電アンテナ２ａ〜２ｄとの対応付けの制御処理フローについて説明する。以下の制御処理は、制御部６０４により実行される。なお、第１実施形態の給電装置１００による受電装置２００と給電アンテナ２ａ〜２ｄとの対応付けの制御処理（図４参照）と同様の処理については、同一の符号（ステップ番号）を付して説明を省略する。
【０１２９】
まず、ステップＳ１〜Ｓ５の処理が実行された後、ステップＳ１０１に進む。
【０１３０】
ステップＳ１０１において、第ｉスイッチ（スイッチ３ａ〜３ｄのうちのいずれか）を、期間Ｔ１の間、オンするとともに、第ｉスイッチ以外のスイッチはオフして、第ｉスイッチに対応する第ｉ給電アンテナ（給電アンテナ２ａ〜２ｄのうちのいずれか）を停止状態にする。この時、インピーダンス整合部６０９により電源部１の出力インピーダンスと１次巻線５２ａ〜５２ｄのインピーダンスとの整合が行われる。その後、ステップＳ７に進む。
【０１３１】
そして、ステップＳ７〜Ｓ１１の処理が実行された後、ステップＳ１０２に進む。
【０１３２】
ステップＳ１０１において、第ｉスイッチ（スイッチ３ａ〜３ｄのうちのいずれか）を、期間Ｔ１の間、オンするとともに、第ｉスイッチ以外のスイッチはオフして、第ｉスイッチに対応する第ｉ給電アンテナ（給電アンテナ２ａ〜２ｄのうちのいずれか）を停止状態にする。この時、インピーダンス整合部６０９により電源部１の出力インピーダンスと１次巻線５２ａ〜５２ｄのインピーダンスとの整合が行われる。その後、ステップＳ１３に進む。
【０１３３】
ステップＳ１３〜Ｓ１６の処理が実行された後、第５実施形態による給電装置６００の受電装置２００と給電アンテナ２ａ〜２ｄとの対応付けの制御処理は終了される。
【０１３４】
［第５実施形態の効果］
第５実施形態では、以下のような効果を得ることができる。
【０１３５】
第５実施形態では、上記のように、給電装置６００に、電源部１の出力インピーダンスと１次巻線５２ａ〜５２ｄのインピーダンスとを整合するインピーダンス整合部６０９を設ける。また、制御部６０４を、供給状態の給電アンテナの数に応じて、電源部１の出力インピーダンスと１次巻線５２ａ〜５２ｄのインピーダンスとを整合するように、インピーダンス整合部６０９を制御するように構成する。ここで、電源部１には、Ｅ級増幅回路が設けられているので、電源部１の出力側（電力分配部５側）のインピーダンスの大きさが変化する場合には、零電圧スイッチングが困難になり、電力効率が低下する場合がある。すなわち、電源部１の電力分配部５側のインピーダンスは一定であることが好ましい。そこで、第５実施形態では、制御部６０４を、供給状態の給電アンテナの数に応じて、電源部１の出力インピーダンスと１次巻線５２ａ〜５２ｄのインピーダンスとを整合するように、インピーダンス整合部６０９を制御するように構成するので、１次巻線５２ａ〜５２ｄのインピーダンスが、給電アンテナ２ａ〜２ｄが供給状態から停止状態に切り替えられることにより変化した場合でも、電源部１の電力分配部５側のインピーダンスを一定にすることができる。その結果、１次巻線５２ａ〜５２ｄのインピーダンスの変化に起因する電力効率が低下するのを抑制しながら、給電アンテナ２ａ〜２ｄと受電装置２００とを対応付ける（受電装置２００に給電可能な給電アンテナを特定する）ことができる。
【０１３６】
また、第５実施形態による給電装置６００のその他の効果は、第１実施形態における給電装置１００と同様である。
【０１３７】
［第６実施形態］
次に、図１１〜図１３を参照して、第６実施形態による給電装置７００の構成について説明する。第６実施形態による給電装置７００には、受電装置８００と通信する通信部７０１が設けられている。なお、上記第１〜第５実施形態と同一の構成については、同じ符号を付してその説明を省略する。
【０１３８】
（第６実施形態による給電装置の構成）
図１１に示すように、第６実施形態による給電装置７００には、スイッチ３０３ａ〜３０３ｄと、通信部７０１と、制御部７０４と、インピーダンス整合部７０９とが設けられている。
【０１３９】
ここで、第６実施形態では、通信部７０１は、受電装置８００と通信するように構成されている。また、制御部７０４は、スイッチ３０３ａ〜３０３ｄにより、給電アンテナ２ａ〜２ｄのうちの少なくとも１つを供給状態から期間Ｔ１、停止状態に切り替えるとともに、通信部７０１を介して、停止状態への変化に起因した情報（受電の停止を示す情報）を取得して、取得した受電の停止を示す情報に基づいて、受電装置８００と給電アンテナ２ａ〜２ｄのうちのいずれかとを対応付ける（受電装置８００に給電可能な給電アンテナを特定する）制御を行うように構成されている。
【０１４０】
具体的には、通信部７０１は、受電装置８００（受電装置８００ａ〜８００ｃのそれぞれ）と、所定の規格（Ｂｌｕｅｔｏｏｔｈ（登録商標）規格）に基づいた無線通信を行うように構成されている。
【０１４１】
また、受電装置８００ａは、受電アンテナ部２０１と、負荷８０２ａと、制御部８０３と、通信部８０４とを含む。そして、受電装置８００ｂは、負荷８０２ｂを含み、その他の構成は、受電装置８００ａと同様に構成されている。また、受電装置８００ｃは、負荷８０２ｃを含み、その他の構成は、受電装置８００ａと同様に構成されている。
【０１４２】
そして、受電装置８００の制御部８０３は、給電装置７００からの電力の受電を開始した場合には、受電を示す信号（たとえば、アドバタイズ信号）を、通信部８０４を介して、給電装置７００に送信するように構成されている。また、制御部８０３は、給電装置７００からの電力の受電が停止された場合には、受電の停止を示す信号（たとえば、受電電圧値が略０である旨の情報）を、通信部８０４を介して、給電装置７００に送信するように構成されている。
【０１４３】
そして、給電装置７００の制御部７０４は、スイッチ３０３ａ〜３０３ｄにより、給電アンテナ２ａ〜２ｄを、それぞれ順次、供給状態から期間Ｔ１の間、停止状態に切り替えて、切り替えた時点と、受電の停止を示す信号を取得した時点とを対応付けることにより、受電装置８００と給電アンテナ２ａ〜２ｄとのいずれかとを対応付けるように構成されている。
【０１４４】
また、制御部７０４は、受電装置８００から要求電力値を取得して、取得した要求電力値に基づいて、供給する電力値が、給電装置７００の供給電力の上限値（たとえば、２０Ｗ）を超えない範囲で、スイッチ３０３ａ〜３０３ｄを制御するように構成されている。
【０１４５】
ここで、受電装置８００の負荷８０２ａ〜８０２ｃは、それぞれ異なる大きさに構成されている。そして、受電装置８００の制御部８０３は、負荷８０２ａ〜８０２ｃの大きさに基づいて、通信部８０４を介して、要求電力値を、給電装置７００に送信するように構成されている。たとえば、受電装置８００ａは、５Ｗであり、受電装置８００ｂは、１０Ｗであり、受電装置８００ｃは、１５Ｗである。
【０１４６】
たとえば、給電装置７００から受電装置８００ａおよび８００ｂに給電を行っている場合には、供給する電力値は、１５Ｗ（＝５Ｗ＋１０Ｗ）となる。ここで、給電装置７００の給電アンテナ２ｃの近傍に受電装置８００ｃが配置された場合には、制御部７０４は、給電アンテナ２ｃと受電装置８００ｃとが対応付ける制御を行う。また、制御部７０４は、受電装置８００ｃにも電力を供給した場合、供給する電力値が３０Ｗとなり、供給電力の上限値である２０Ｗを超えるため、スイッチ３ｃにより給電アンテナ２ｃを停止状態（待機状態）にする制御を行うように構成されている。
【０１４７】
また、制御部７０４は、給電アンテナ２ｃに加えて、対応付けされていない給電アンテナ２ｄについても、スイッチ３ｃにより停止状態にする制御を行うように構成されている。
【０１４８】
また、第６実施形態では、制御部７０４は、通信部７０９を介して、給電アンテナ２ａ〜２ｄのいずれかに対応付けられている受電装置８００から受電の停止を示す情報を取得した場合に、供給状態の給電アンテナの数を変更して、変更した供給状態の給電アンテナの数に基づいて、インピーダンス整合部７０９を制御するとともに、所定の期間Ｔ２の間、受電の停止を示す情報に対応する受電装置８００（たとえば、受電装置８００ｂ）に電力を供給する給電アンテナ（たとえば、給電アンテナ２ｂ）を、供給状態にする制御を行うように構成されている。なお、所定の期間Ｔ２は、本発明の「所定の第２期間」の一例である。
【０１４９】
具体的には、図１２に示すように、インピーダンス整合部７０９は、トランス部７９１と、インダクタ７９２と、コンデンサ７９３ａ〜７９３ｇと、整合スイッチ部７９４ａ〜７９４ｆとが設けられている。
【０１５０】
トランス部７９１は、インピーダンス整合部７０９の出力側（電力分配部５側）に設けられている。また、インダクタ７９２は、インピーダンス整合部７０９の入力側（電源部１側）に設けられている。
【０１５１】
コンデンサ７９３ａ〜７９３ｃは、整合スイッチ部７９４ａ〜７９４ｃにより、それぞれトランス部７９１に接続される状態と切断される状態とを切り替えられることが可能に構成されている。コンデンサ７９３ｄは、トランス部７９１とインダクタ７９２との間に直列に接続されている。コンデンサ７９３ｅ〜７９３ｇは、整合スイッチ部７９４ｄ〜７９４ｆにより、それぞれ接地される状態と接地されない状態とを切り替えられることが可能に構成されている。
【０１５２】
なお、インピーダンス整合部７０９は、タップ付トランスにより構成されている第５実施形態のインピーダンス整合部６０９と異なり、コンデンサ７９３ｅ〜７９３ｇを用いてインピーダンスの整合を行うように構成されている。ここで、コンデンサは一般的に、トランスに比べて、温度特性が小さい。また、タップ付トランスのタップ（接続点）は、トランスの巻線の構成に制限される。すなわち、タップ付トランスのタップを設ける位置は、トランスの内部において、制限されており、所望のインダクタンスとなる位置にタップを設けるのが困難な場合がある。そこで、第６実施形態では、インピーダンス整合部７０９を、コンデンサ７９３ｅ〜７９３ｇを用いてインピーダンスの整合を行うように構成することにより、温度の変化の影響を小さくすることができるとともに、容易に、電気容量を設定することが可能である。
【０１５３】
ここで、１次巻線５２ａ〜５２ｄのインピーダンスの合計値は、供給状態の給電アンテナの数に応じて変化する。たとえば、図１３に示すように、１次巻線５２ａ〜５２ｄのインピーダンスの合計値は、供給状態の給電アンテナの数が１の場合、５０Ωとなり、２の場合、１００Ωとなり、３の場合、１５０Ωとなり、４の場合、２００Ωとなる。なお、電源部１側のインピーダンスを８Ωとする。
【０１５４】
そして、制御部７０４は、供給状態の給電アンテナの数に基づいて、整合スイッチ部７９４ａ〜７９４ｆを制御することにより、電源部１側のインピーダンス（８Ω）と１次巻線５２ａ〜５２ｄのインピーダンスの合計値とを整合する制御を行う。
【０１５５】
たとえば、制御部７０４は、供給状態の給電アンテナの数が１の場合、整合スイッチ部７９４ａ〜７９４ｃをオン（閉）にするとともに、整合スイッチ部７９４ｄ〜７９４ｆをオフ（開）にする。制御部７０４は、供給状態の給電アンテナの数が２の場合、整合スイッチ部７９４ｂ〜７９４ｄをオン（閉）にするとともに、整合スイッチ部７９４ａ、７９４ｅおよび７９４ｆをオフ（開）にする。制御部７０４は、供給状態の給電アンテナの数が３の場合、整合スイッチ部７９４ｃ〜７９４ｅをオン（閉）にするとともに、整合スイッチ部７９４ａ、７９４ｂおよび７９４ｆをオフ（開）にする。制御部７０４は、供給状態の給電アンテナの数が４の場合、整合スイッチ部７９４ｄ〜７９４ｆをオン（閉）にするとともに、整合スイッチ部７９４ａ〜７９４ｃをオフ（開）にする。
【０１５６】
また、第６実施形態による給電装置７００のその他の構成は、第１実施形態における給電装置１００と同様である。
【０１５７】
（第６実施形態による給電装置の制御処理）
〈受電装置と給電アンテナとの対応付けの制御処理〉
次に、図１４を参照して、第６実施形態の給電装置７００による受電装置８００と給電アンテナ２ａ〜２ｄとの対応付け（受電装置８００に給電可能な給電アンテナを特定するため）の制御処理フローについて説明する。以下の制御処理は、制御部７０４により実行される。
【０１５８】
まず、ステップＳ２０１において、新たに配置された受電装置８００から受電を示す信号が取得されたか否かが判断される。受電を示す信号が取得されるまでこの判断は繰り返され、受電を示す信号が取得された場合には、ステップＳ２０２に進む。なお、受電を示す信号を取得する時に、受電装置８００から要求電力値も取得される。
【０１５９】
ステップＳ２０２において、変数ｉが１に設定される。その後、ステップＳ２０３に進む。
【０１６０】
ステップＳ２０３において、第ｉスイッチ（スイッチ３０３ａ〜３０３ｄのうちのいずれか）を、期間Ｔ１の間、オンするとともに、第ｉスイッチ以外のスイッチはオフして、第ｉスイッチに対応する第ｉ給電アンテナ（給電アンテナ２ａ〜２ｄのうちのいずれか）を停止状態にする。その後、ステップＳ２０４に進む。
【０１６１】
ステップＳ２０４において、受電装置８００から受電の停止を示す信号が取得されたか否かが判断される。受電の停止を示す信号が取得した場合には、ステップＳ２０６に進み、受電の停止を示す信号が取得されない場合には、ステップＳ２０５に進む。
【０１６２】
ステップＳ２０５において、第ｉ給電アンテナの検出結果として受電装置８００がなしとされる。すなわち、第ｉ給電アンテナの近傍には受電装置８００が配置されていないとする検出結果が取得される。その後、ステップＳ２０７に進む。
【０１６３】
ステップＳ２０６において、第ｉ給電アンテナの検出結果として受電装置８００がありとされる。第ｉ給電アンテナの近傍に受電装置８００が配置されているとして検出結果が取得され、受電装置８００が第ｉ給電アンテナに対応付けられる（受電装置８００に給電可能な給電アンテナが第ｉ給電アンテナであると特定する）。その後、ステップＳ２０７に進む。
【０１６４】
ステップＳ２０７において、第ｉスイッチをオフして、第ｉスイッチに対応する第ｉ給電アンテナを供給状態にする。その後、ステップＳ２０８に進む。
【０１６５】
ステップＳ２０８において、全て（第１〜第４）のスイッチの検出結果が取得されたか否かが判断される。全て（第１〜第４）のスイッチの検出結果が取得された場合には、ステップＳ２１０に進み、まだ、全て（第１〜第４）のスイッチの検出結果が取得されていない場合には、ステップＳ２０９に進む。
【０１６６】
ステップＳ２０９において、変数ｉに１が加えられる。その後、ステップＳ２０３に戻る。
【０１６７】
ステップＳ２１０において、受電装置８００と給電アンテナ２ａ〜２ｄとの対応付けの結果が記憶部７に記憶される。
【０１６８】
ステップＳ２１１において、供給する電力値が、供給電力の上限値を超えるか否かが判断される。供給する電力値が供給電力の上限値を超える場合には、ステップＳ２１２に進み、供給する電力値が供給電力の上限値を超えない場合には、ステップＳ２１３に進む。
【０１６９】
ステップＳ２１１において供給する電力値が供給電力の上限値を超える場合に進むステップＳ２１２において、新たに配置された受電装置８００と対応付けされた給電アンテナ２ａ〜２ｄのうちのいずれかを停止状態にして、受電装置８００に供給される電力を停止する。
【０１７０】
ステップＳ２１１において供給する電力値が供給電力の上限値を超えない場合に進むステップＳ２１３において、新たに配置された受電装置８００と対応付けされた給電アンテナ２ａ〜２ｄのうちのいずれかを供給状態にして、受電装置８００に電力が供給される。
【０１７１】
ステップＳ２１４において、インピーダンス整合部７０９により、電源部１と１次巻線５２ａ〜５２ｄとのインピーダンスの整合が行われる。その後、第６実施形態による給電装置７００の受電装置８００と給電アンテナ２ａ〜２ｄとの対応付けの制御処理は終了される。
【０１７２】
〈受電装置が一時的に取り除かれた場合の制御処理〉
次に、図１５を参照して、第６実施形態の給電装置７００による受電装置８００が一時的に取り除かれた場合の制御処理フローについて説明する。以下の制御処理は、制御部７０４により実行される。
【０１７３】
まず、ステップＳ３０１において、給電アンテナ２ａ〜２ｄのいずれかに対応付けされている受電装置８００のいずれかから受電の停止を示す信号が取得されたか否かが判断される。すなわち、受電装置８００が給電アンテナ２ａ〜２ｄのから取り除かれたか否かが判断される。受電の停止を示す信号が取得されるまでこの判断は繰り返され、受電の停止を示す信号が取得された場合には、ステップＳ３０２に進む。
【０１７４】
ステップＳ３０２において、インピーダンス整合部７０９により、電源部１と１次巻線５２ａ〜５２ｄとのインピーダンスの整合が行われる。すなわち、供給状態の給電アンテナの数を変更して（１つ減らして）、変更した供給状態の給電アンテナの数に基づいて、インピーダンスの整合が行われる。その後、ステップＳ３０３に進む。
【０１７５】
ステップＳ３０３において、期間Ｔ２が経過したか否かが判断される。期間Ｔ２が経過している場合、ステップＳ３０７に進み、期間Ｔ２が経過していない場合、ステップＳ３０４に進む。
【０１７６】
ステップＳ３０４において、受電を示す信号が取得されたか否かが判断される。すなわち、一旦、受電装置８００が取り除かれた（ステップＳ３０１）後、再び受電装置８００が給電アンテナ２ａ〜２ｄのいずれかに配置されたか否かが判断される。受電を示す信号が取得された場合には、ステップＳ３０５に進み、受電を示す信号が取得されていない場合には、ステップＳ３０３に戻る。
【０１７７】
ステップＳ３０５において、供給する電力値が、供給電力の上限値を超えるか否かが判断される。供給する電力値が供給電力の上限値を超える場合には、ステップＳ３０７に進み、供給する電力値が供給電力の上限値を超えない場合には、ステップＳ３０６に進む。
【０１７８】
ステップＳ３０６において、インピーダンス整合部７０９により、電源部１と１次巻線５２ａ〜５２ｄとのインピーダンスの整合が行われる。すなわち、一旦、受電装置８００が取り除かれる前の状態にインピーダンスの整合が戻される。その後、第６実施形態の給電装置７００による受電装置８００が一時的に取り除かれた場合の制御処理が終了される。
【０１７９】
また、ステップＳ３０３において期間Ｔ２が経過した場合、および、ステップＳ３０５において供給する電力値が供給電力の上限値を超える場合に進むステップＳ３０７において、一旦、取り除かれた受電装置８００に対応する給電アンテナ２ａ〜２ｄを停止状態にして電力の供給を停止する。その後、第６実施形態の給電装置７００による受電装置８００が一時的に取り除かれた場合の制御処理が終了される。
【０１８０】
［第６実施形態の効果］
第６実施形態では、以下のような効果を得ることができる。
【０１８１】
第６実施形態では、上記のように、給電装置７００に、受電装置８００と通信する通信部７０１を設ける。また、制御部７０４を、通信部７０１を介して、受電の停止を示す信号（停止状態への変化に起因した情報）を取得して、取得した受電の停止を示す信号に基づいて、受電装置８００と給電アンテナ２ａ〜２ｄのうちのいずれかとを対応付ける制御を行うように構成する。これにより、通信部７０１を用いることにより、容易に、停止状態への変化に起因した情報（受電の停止を示す信号）を取得することができる。
【０１８２】
また、第６実施形態では、上記のように、制御部７０４を、通信部７０１を介して、受電装置８００から受電の停止を示す情報を取得した場合に、供給状態の給電アンテナの数を変更して、変更した供給状態の給電アンテナの数に基づいて、インピーダンス整合部７０９を制御するとともに、期間Ｔ２の間、受電の停止を示す情報に対応する受電装置８００に電力を供給する給電アンテナ２ａ〜２ｄのいずれかを、供給状態にする制御を行うように構成する。これにより、受電装置８００が一時的に給電アンテナ２ａ〜２ｄのいずれかから取り除かれ、受電装置８００から受電の停止を示す情報が送信された場合、インピーダンス整合部７０９により、電源部１の出力インピーダンスと１次巻線５２ａ〜５２ｄのインピーダンスとが整合されるとともに、受電装置８００が取り除かれた給電アンテナ２ａ〜２ｄのいずれかには、電力の供給が継続される。その結果、インピーダンスが整合されることにより、電力効率が低下するのを抑制しながら、期間Ｔ２以内に、再び受電装置８００が給電アンテナ２ａ〜２ｄのいずれかの近傍に載置された場合には、迅速に、受電装置８００に電力の供給を再開することができる。
【０１８３】
また、第６実施形態による給電装置７００のその他の効果は、第１実施形態における給電装置１００と同様である。
【０１８４】
［第７実施形態］
次に、図１６を参照して、第７実施形態による給電装置９００の構成について説明する。第７実施形態による給電装置９００は、受電の停止を示す情報を、同時に複数の受電装置８００から取得した場合には、スイッチ３０３ａ〜３０３ｄにより、複数の受電装置８００が対応付けられた給電アンテナ２ａを停止状態にするように構成されている。なお、上記第１〜第６実施形態と同一の構成については、同じ符号を付してその説明を省略する。
【０１８５】
（第７実施形態による給電装置の構成）
図１６に示すように、第７実施形態による給電装置９００には、スイッチ３０３ａ〜３０３ｄと、通信部７０１と、インピーダンス整合部７０９と、制御部９０４とが設けられている。給電装置９００のその他の構成は、第６実施形態による給電装置８００の構成と同様に構成されている。
【０１８６】
ここで、第７実施形態では、制御部９０４は、受電を示す信号（停止状態への変化に起因した情報）を、同時に複数の受電装置８００（たとえば、受電装置８００ａおよび８００ｂ）から取得した場合には、複数の受電装置８００と給電アンテナ２ａ〜２ｄのうちのいずれかとを対応付けるとともに、スイッチ３０３ａ〜３０３ｄにより、複数の受電装置８００が対応付けられた給電アンテナ（たとえば、給電アンテナ２ａ）を停止状態にする制御を行うように構成されている。
【０１８７】
具体的には、図１６に示すように、制御部９０４は、受電装置８００と給電アンテナ２ａ〜２ｄのうちのいずれかとを対応付ける処理（図１４参照）を行う際に、給電アンテナ２ａを停止状態にした期間Ｔ１の間に、受電装置８００ａおよび８００ｂから同時に、受電を示す信号を取得した場合には、受電装置８００ａおよび８００ｂと給電アンテナ２ａとを対応付けるとともに、スイッチ３０３ａにより、給電アンテナ２ａを停止状態にする制御を行うように構成されている。
【０１８８】
また、第７実施形態による給電装置９００のその他の構成は、第１実施形態における給電装置１００と同様である。
【０１８９】
（第７実施形態の効果）
第７実施形態では、以下のような効果を得ることができる。
【０１９０】
第７実施形態では、上記のように、制御部９０４を、受電を示す信号（停止状態への変化に起因した情報）を、同時に複数の受電装置８００（受電装置８００ａおよび８００ｂ）から取得した場合には、複数の受電装置８００（受電装置８００ａおよび８００ｂ）と給電アンテナ２ａとを対応付けるとともに、スイッチ３０３ａにより、複数の受電装置８００（受電装置８００ａおよび８００ｂ）が対応付けられた給電アンテナ２ａを停止状態にする制御を行うように構成する。ここで、１つの給電アンテナ２ａの近傍に受電装置８００ａおよび８００ｂが配置され、１つの給電アンテナ２ａから受電装置８００ａおよび８００ｂに電力が供給される場合に、受電装置８００ａおよび８００ｂのうちのいずれか一方に適した電力を供給することが考えられる。この場合、たとえば、受電装置８００ａに適した電力を供給することができる一方、受電装置８００ｂに適した電力を供給するのが困難であると考えられる。たとえば、受電装置８００ｂの定格の受電電圧値を超える場合や、受電装置８００ｂが受電可能な最低の受電電圧値を下回る場合があると考えられる。この点に対して、第７実施形態では、制御部９０４を、スイッチ３０３ａにより、受電装置８００ａおよび８００ｂが対応付けられた給電アンテナ２ａを停止状態にする制御を行うように構成することにより、受電装置８００ａまたは８００ｂの定格の受電電圧値を超える場合や、受電装置８００ａまたは８００ｂが受電可能な最低の受電電圧値を下回る場合が生じるのを抑制することができる。
【０１９１】
また、第７実施形態による給電装置８００のその他の効果は、第１実施形態における給電装置１００と同様である。
【０１９２】
［変形例］
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更（変形例）が含まれる。
【０１９３】
たとえば、上記第１〜第７実施形態では、受電装置として、スマートフォンを用いる例を示したが、本発明はこれに限らない。たとえば、受電装置として、電気自動車などの輸送機器を用いてもよい。この場合、給電装置は、輸送機器のための給電ステーションとして構成してもよい。
【０１９４】
また、上記第１〜第７実施形態では、給電装置に、４つの給電アンテナを設ける例を示したが、本発明はこれに限らない。すなわち、給電装置に、３つ以下、または、５つ以上の給電アンテナを設けてもよい。
【０１９５】
また、上記第５〜第７実施形態では、制御部を、停止状態の給電アンテナの数に基づいて、電源部の出力インピーダンスと複数の１次巻線のインピーダンスとを整合するように、インピーダンス整合部を制御するように構成する例を示したが、本発明はこれに限らない。すなわち、制御部は、停止状態の給電アンテナの数に基づいて、電源部の出力インピーダンスと複数の１次巻線のインピーダンスとを整合するように、インピーダンス整合部を制御するように構成してもよい。
【０１９６】
また、上記第１〜第５実施形態では、受電装置と給電アンテナとを対応付けるための情報として、インピーダンスの測定値の変化量を用いる例を示したが、本発明はこれに限らない。たとえば、受電装置と給電アンテナとを対応付けるための情報として、インピーダンスの測定値と対応するしきい値とを用いてもよい。
【０１９７】
また、上記第１〜第７実施形態では、実施形態の例として別々に説明したが、本発明はこれに限らない。すなわち、上記第１〜第７実施形態の構成が互いに組み合わされていてもよい。たとえば、第１実施形態の給電装置に、第６実施形態の給電装置の通信部およびインピーダンス整合部が設けられていてもよい。
【０１９８】
また、上記第１〜第７実施形態では、説明の便宜上、本発明の制御部の処理を処理フローに沿って順番に処理を行うフロー駆動型のフローチャートを用いて説明したが、本発明はこれに限られない。本発明では、制御部の処理動作を、イベントごとに処理を実行するイベント駆動型（イベントドリブン型）の処理により行ってもよい。この場合、完全なイベント駆動型で行ってもよいし、イベント駆動およびフロー駆動を組み合わせて行ってもよい。
【符号の説明】
【０１９９】
１  電源部
２  給電アンテナ部
２ａ〜２ｄ  給電アンテナ
３ａ〜３ｄ、３０３ａ〜３０３ｄ、４０３ａ〜４０３ｄ  スイッチ
４、４ａ、４０４、５０４、６０４、７０４、９０４  制御部
５  電力分配部
６  インピーダンス測定部
５２ａ〜５２ｄ  １次巻線
５３ａ〜５３ｄ  ２次巻線
１００、３００、４００、５００、６００、７００、９００  給電装置
２００、８００、８００ａ〜８００ｃ  受電装置（外部受電装置）
４３１、４３２  スイッチグループ
６０９、７０９  インピーダンス整合部
７０１  通信部
【図１】
2017046418.tif 000003
【図２】
2017046418.tif 000004
【図３】
2017046418.tif 000005
【図４】
2017046418.tif 000006
【図５】
2017046418.tif 000007
【図６】
2017046418.tif 000008
【図７】
2017046418.tif 000009
【図８】
2017046418.tif 000010
【図９】
2017046418.tif 000011
【図１０】
2017046418.tif 000012
【図１１】
2017046418.tif 000013
【図１２】
2017046418.tif 000014
【図１３】
2017046418.tif 000015
【図１４】
2017046418.tif 000016
【図１５】
2017046418.tif 000017
【図１６】
2017046418.tif 000018